(57)【要約】【課題】本体の大きさを変えることなく、本体性能が大幅な向上した送風装置及び空気調和機を提供する。【解決手段】ファン１１を内包すると共に吹き出し口１８及び舌部１７を有するエアガイダー９を備え、前記エアガイダー９の高さを、前記吹き出し口１８を上向きにしたときの前記エアガイダー９の上端が前記舌部１７の位置と略同一になるように設定したもので、エアガイダー９の舌部１７までが確保されているので、従来の風回路性能を維持しながら、従来の整流部に相当する部分が無い分エアガイダー９の高さが短くなるので、その分、装置全体の高さを変えることなく、室内熱交換器（図示せず）の大きさを大きくして、熱交換効率を高め、本体性能を高める事ができる。【選択図】図１ 
2005155436.tif 000002
【特許請求の範囲】
【請求項１】
ファンを内包すると共に吹き出し口及び舌部を有するエアガイダーを備え、前記エアガイダーの高さを、前記吹き出し口を上向きにしたときの前記エアガイダーの上端が前記舌部の位置と略同一になるように設定した送風装置。
【請求項２】
ファンを内包すると共に吹き出し口及び舌部を有するエアガイダーと、室内熱交換器とを備え、前記エアガイダーの高さを、前記吹き出し口を上向きにしたときの前記エアガイダーの上端が前記舌部の位置と略同一になるように設定した空気調和機。
【請求項３】
室内熱交換器の背後に位置すると共に、吹き出し口から排出される空気を整流する整流部を、エアガイダーの上部に一体的に形成した請求項２記載の空気調和機。
【請求項４】
逆Ｖ字形状の室内熱交換器を用いた請求項２又は３記載の空気調和機。
【請求項５】
ファン等の電気部品を制御する電源板を設け、前記電源板をエアガイダーの下方に配した請求項２〜４のいずれか１項記載の空気調和機。
【発明の詳細な説明】
【技術分野】
【０００１】
本発明は、ファンを内蔵する送風装置および空気調和機に関するものである。
【背景技術】
【０００２】
従来の送風装置について、床置型の空気調和機を例に図７〜９を参照しながら説明する。
【０００３】
図７は、従来の床置型の空気調和機の分解斜視図である。
【０００４】
図において、床置型の空気調和機の本体１００の前面には、上部に吹き出しグリル１０１、中部に前面パネル１０２、下部に吸入グリル１０３がそれぞれ設けられており、吸入グリル１０３より吸込んだ空気を上部の吹き出しグリル１０１より室内に吹出す構成となっている。
【０００５】
又、本体１００の外郭は、側板１０４、１０５、天板１０６、底板１０７、後ろ板１０８で形成され、内部には、風回路構成部品であるエアガイダー１０９、モーター１１０、ファン１１１、オリフィス１１２が設置されている。
【０００６】
さらに図８は、本体１００の断面図で、エアガイダー１０９の上部には室内熱交換器１１４が高さが最大になるように斜めに設置されている。その室内熱交換器１１４の下部には、凝縮水を受ける水受け皿１１５がエアガイダー１０９の上部吹き出し部１０９ａより前面側に設置され、さらに前記水受け皿１１５の下部に電源板１１３が設置されている。
【０００７】
図９はエアガイダー１０９の正面図で、一般的構造としてファン１１１との最少隙間を決定し風回路性能を決定する舌部１０９ｂを持ち、さらにこの舌部１０９ｂを通過した風を整流して騒音を低減するための直線で構成される整流部１０９ｃを合せもつ構造となっている(例えば、特許文献１参照)。
【特許文献１】特開平６−１０１８６６号公報
【発明の開示】
【発明が解決しようとする課題】
【０００８】
しかしながら、上記従来の構造では以下のような課題を有していた。
【０００９】
本体１００の高さが決定していると、エアガイダー１０９の高さによって搭載できる室内熱交換器１１４の高さが決定されてしまうため、本体１００の性能を向上させるためには本体１００の高さ或いは横幅を大きくせざるえなかった。又室内熱交換器１１４自体も本体サイズを同サイズで性能を向上させるためには列数を増加するしかないため高コストになるという問題があった。
【００１０】
さらに電源板１１３がエアガイダー１０９と吸入グリル１０３の間の風回路内におかれているため通風抵抗となり、風回路の性能低下の原因となっていた。さらに水受け皿１１５の下部に電源板１１３が設置されているため、水受け皿１１５よりオバーフローしたり、亀裂がはいり水が漏れた場合は直接電源板１１３内に水が浸入し、故障の原因になっていた。
【００１１】
本発明は、上記従来の課題を解決するもので、本体の大きさを変えることなく、優れた送風性能、本体性能を有する送風装置、空気調和機を提供する事を目的とする。
【課題を解決するための手段】
【００１２】
上記課題を解決するために、本発明の送風装置は、ファンを内包すると共に吹き出し口及び舌部を有するエアガイダーを備え、前記エアガイダーの高さを、前記吹き出し口を上向きにしたときの前記エアガイダーの上端が前記舌部の位置と略同一になるように設定したもので、エアガイダーの舌部までが確保されているので、従来の風回路性能を維持しながら、従来の整流部に相当する部分が無い分エアガイダーの高さが短くなるので、例えば、熱交換器を備えた送風装置では、全体の高さを変えないで、熱交換器の大きさを大きくすることができ、その分熱交換効率を高め、本体性能を高める事ができる。
【００１３】
また本発明の空気調和機は、ファンを内包すると共に吹き出し口及び舌部を有するエアガイダーと、室内熱交換器とを備え、前記エアガイダーの高さを、前記吹き出し口を上向きにしたときの前記エアガイダーの上端が前記舌部の位置と略同一になるようにしたもので、エアガイダーの舌部までが確保されているので、従来の風回路性能を維持しながら、従来の整流部に相当する部分が無い分エアガイダーの高さが短くなるので、その分熱交換器の大きさを大きくして、熱交換効率を高め、本体性能を高める事ができる。
【発明の効果】
【００１４】
本発明の送風装置および空気調和機は、従来の本体サイズを大きくすることなく風回路性能、本体性能にすぐれ、かつ信頼性の高いものである。
【発明を実施するための最良の形態】
【００１５】
第１の発明は、ファンを内包すると共に吹き出し口及び舌部を有するエアガイダーを備え、前記エアガイダーの高さを、前記吹き出し口を上向きにしたときの前記エアガイダーの上端が前記舌部の位置と略同一になるように設定したもので、エアガイダーの舌部までが確保されているので、従来の送風性能を維持しながら、従来の整流部に相当する部分が無い分エアガイダーの高さが短くなるので、例えば、熱交換器を備えた送風装置では、全体の高さを変えないで、熱交換器の大きさを大きくすることができ、その分熱交換効率を高め、本体性能を高める事ができる。
【００１６】
第２の発明は、ファンを内包すると共に吹き出し口及び舌部を有するエアガイダーと、室内熱交換器とを備え、前記エアガイダーの高さを、前記吹き出し口を上向きにしたときの前記エアガイダーの上端が前記舌部の位置と略同一になるようにしたもので、エアガイダーの舌部までが確保されているので、従来の送風性能を維持しながら、従来の整流部に相当する部分が無い分エアガイダーの高さが短くなるので、その分熱交換器の大きさを大きくして、熱交換効率を高め、本体性能を高める事ができる。
【００１７】
第３の発明は、特に、第２の発明の室内熱交換器の背後に位置すると共に、吹き出し口から排出される空気を整流する整流部を、エアガイダーの上部に一体的に形成したもので、整流部が室内熱交換器の背後に位置しているので、室内熱交換器の高さ、設置や本体の高さに影響を与えることなく、エアガイダーの吹き出し口から排出さる空気が整流部により整流されて騒音の低減が図れる。
【００１８】
第４の発明は、特に、第２又は第３の発明の室内熱交換器として逆Ｖ字形状のものを用いるもので、エアガイダーの小型化により、本体の大きさを変えることなく、逆Ｖ字形状の室内熱交換器の搭載が可能になり、本体性能を大幅に向上させる事ができる。
【００１９】
第５の発明は、特に、第２〜４のいずれか１つの発明の空気調和機にファン等の電気部品を制御する電源板を設け、前記電源板をエアガイダーの下方に配したもので、エアガイダーの高さが小さくなる分電源板を、その下に設けられるので本体の高さが変わらず、し
かも電源板が風回路に臨んでいないので、通風抵抗の削減ができると共に、室内熱交換器の凝縮水を受ける水受け皿に万一クラックが生じて凝縮水が漏れても、それが電源板に至る事が無いので、故障が少なく信頼性も高いものとなる。
【００２０】
以下、本発明の実施の形態について、図面を参照しながら説明する。なお、この実施の形態によって本発明が限定されるものではない。
【００２１】
（実施の形態１）
以下に、第１の実施の形態として、送風装置の１つである床置型の空気調和機を例にして説明する。図１は、本実施の形態における空気調和機の部分展開図である。なお、上記従来例と同一部分については同一符号を付してその説明を省略する。
【００２２】
図１において、床置型の空気調和機の本体２０の前部は、吹出しグリル１、前面パネル２及び吸入グリル３から構成されている。又本体２０の外郭は、側版５、６ならびに天板４、底板７、後ろ板８で構成されている。
【００２３】
本体２０の内部には、エアガイダー９を設置し、その内部にモーター１０、ファン１１、オリフィス１２を配置している。本実施の形態におけるエアガイダー９の高さは、図２に示すようにエアガイダー９の上端は舌部１７のＲじりまでとなっている。即ち従来のエアガイダーの舌部より上をカットしたような形状にして、最小高さの形状としている。また、前記エアガイダー９の下部に電源板１３を配置する構成としている。このため凝縮水が電源板１３に侵入する恐れがないため、凝縮水の浸入によるサビや故障の原因になることが無い。
【００２４】
図３は、本体２０の断面図である。上記部品のほかに風回路を構成する室内熱交換機１４が設けられ、その高さは、エアガイダー９の高さが最小となった分大きくしてある。このため本体性能の向上が図られる。１６は、室内熱交換器１４からの凝縮水を受ける水受け皿である。又電源板１３がエアガイダー９の下部に収納され風回路に臨んでいないため、通風抵抗とならず、これによっても風回路性能が向上し、本体性能の向上に寄与している。
【００２５】
（実施の形態２）
図４は、本発明の第２の実施の形態における空気調和機のエアガイダーの斜視図並びに断面図で、図５は同空気調和機の断面図である。なお、上記実施の形態と同一部分については同一符号を付してその説明を省略する。
【００２６】
本実施の形態におけるエアガイダー９ａと、第１の実施の形態におけるエアガイダー９とは、上部両側に整流部Ａ９ｂ、整流部Ｂ９ｃを一体的に設けた点を除き同一のもので、その整流部Ａ９ｂ、整流部Ｂ９ｃは、本体２０に収納するために、室内熱交換器１４の傾き角度と同じ角度で成形され、図５に示すように室内熱交換器１４の背後に位置するように取りつけられるものである。
【００２７】
以上のように、本実施の形態によれば、従来のエアガイダーと同等性能を確保しながら高さを最小にして本体２０内に収納することが可能になり、このため図４（ｂ）の断面図が示すように舌部１７までの基本構造を持ちながら、高さが増加した室内熱交換機１４を収納しながらもエアガイダー９ａの整流部Ａ９ｂ、整流部Ｂ９ｃがエアガイダー９ａと一体で収納されているため風回路は同等性能でありながら、熱交換能力が向上し、本体性能も向上する。
【００２８】
（実施の形態３）
図６は、本発明の第３の実施の形態における空気調和機の断面図である。なお、上記実施の形態と同一部分については同一符号を付してその説明を省略する。
【００２９】
図に示すように、本実施の形態における空気調和機は、前記第２の実施の形態におけるエアガイダー９ａと、前側熱交換器１５ａと後側熱交換器１５ｂからなる逆Ｖ型室内熱交換器１５を収納し、後側熱交換器１５ｂ用の水受け皿１６ｂは、受けた凝縮水を前方に流すために前側の水受け皿１６より高い位置に設置されている。このためエアガイダー９ａの整流部Ａ５ｂ、整流部Ｂ５ｃも問題なく収納することができる。
【００３０】
上記構成により、大幅な本体性能の向上を図ることができる。
【産業上の利用可能性】
【００３１】
以上のように、本発明にかかる送風装置及び空気調和機は、本体サイズを変更することなく大幅な本体性能向上が可能でしかも、故障が少なく信頼性も高いもので、送風ファンを有する各種空気調和機、空気清浄機、送風機等に広く適用できるものである。
【図面の簡単な説明】
【００３２】
【図１】本発明の実施の形態１における空気調和機の部分展開図
【図２】同空気調和機のエアガイダーの断面図
【図３】同空気調和機の断面図
【図４】（ａ）本発明の実施の形態２における空気調和機のエアガイダーの斜視図（ｂ）図４（ａ）のＡ−Ａ断面図
【図５】同空気調和機の断面図
【図６】本発明の実施の形態３における空気調和機の断面図
【図７】従来の空気調和機の部分展開図
【図８】同空気調和機の断面図
【図９】同空気調和機のエアガイダーの正面図
【符号の説明】
【００３３】
１  吹出しグリル
２  前面パネル
３  吸入グリル
９、９ａ  エアガイダー
１０  モーター
１１  ファン
１３  電源板
１４  室内熱交換器
１７  舌部
１８  吹き出し口
２０  本体
【図１】
2005155436.tif 000003
【図２】
2005155436.tif 000004
【図３】
2005155436.tif 000005
【図４】
2005155436.tif 000006
【図５】
2005155436.tif 000007
【図６】
2005155436.tif 000008
【図７】
2005155436.tif 000009
【図８】
2005155436.tif 000010
【図９】
2005155436.tif 000011